(57)【要約】【課題】積層された印刷済みのＯＨＰシートにどのような画像が印刷されているかを速やかに行いうるように、ＯＨＰシート及び合紙とを排紙する。【解決手段】ＯＨＰシートに印刷される本画像を合紙ＧＰの重畳領域ＣＤに印刷し、本画像の縮小画像又はページ番号を非重畳領域ＮＣＤに印刷する。【選択図】      図３
2005024793.tif 000002
【特許請求の範囲】
【請求項１】
画像形成部でＯＨＰシートに画像を記録し、当該ＯＨＰシートと合紙とを交互に排出するモードを備えた画像形成装置において、
ＯＨＰシートのサイズを設定するＯＨＰサイズ設定手段と、
設定されたＯＨＰシートのサイズに対して縦横の少なくとも一方のサイズが大きな合紙を設定する合紙サイズ設定手段と、
前記ＯＨＰシートと前記合紙とを交互に搬送し、印刷されたＯＨＰシートと合紙とを排出部に交互に積層する搬送手段とを備え、
前記画像形成部は、前記ＯＨＰシートと合紙とを重ねたときに、前記ＯＨＰシートからはみ出る合紙の領域に、前記ＯＨＰシートに記録した画像と関連する画像である関連画像を記録することを特徴とする画像形成装置。
【請求項２】
前記関連画像は、前記本画像の縮小画像及び前記本画像のページ番号の少なくともいずれか一方からなることを特徴とする請求項１記載の画像形成装置。
【請求項３】
前記ＯＨＰシート及び合紙は、一方が縦向けで搬送され、他方が横向けで搬送されることを特徴とする請求項１又は２記載の画像形成装置。
【発明の詳細な説明】
【０００１】
【発明の属する技術分野】
本発明は、ＯＨＰシートが印刷可能な複写機等の画像形成装置に関する。
【０００２】
【従来の技術】
従来より、ＯＨＰ（ＯｖｅｒＨｅａｄＰｒｏｊｅｃｔｏｒ）シートを印刷する画像形成装置では、透明であるＯＨＰシートに印刷された画像の視認性の向上及びＯＨＰシート同士の静電気による接触等を防止するため、ＯＨＰシート間に合紙を挟んで排紙トレイに積層する排紙形態が採用されている。合紙には、ＯＨＰシートに印刷される画像と同一の画像が印刷されることが一般的である（例えば特許文献１、２）。そして、発表者は、積層されたＯＨＰシート及び合紙を１枚ずつめくりながら、プレゼンテーションを行っていく。
【０００３】
【特許文献１】
特開平１０−２５４２９８号公報
【特許文献２】
特開２００１−３４４０８８号公報
【０００４】
【発明が解決しようとする課題】
しかしながら、ＯＨＰシート間に合紙を挟むだけでは、ＯＨＰシートを１枚ずつめくっていかなければ、ＯＨＰシートにどのような画像が印刷されているかを確認することができず、かかる確認を速やかに行うことができないという問題があった。特に、プレゼンテーションの際には、かかる確認作業を迅速に行うことが要求される。
【０００５】
本発明の目的は、積層された印刷済みのＯＨＰシートにどのような画像が印刷されているかの確認及び積層されたＯＨＰシートが正しい順番で積層されているかの確認等を速やかに行いうるように排紙を行う画像形成装置を提供することである。
【０００６】
【課題を解決するための手段】
本発明に係る画像形成装置は、画像形成部でＯＨＰシートに画像を記録し、当該ＯＨＰシートと合紙とを交互に排出するモードを備えた画像形成装置において、ＯＨＰシートのサイズを設定するＯＨＰサイズ設定手段と、設定されたＯＨＰシートのサイズに対して縦横の少なくとも一方のサイズが大きな合紙を設定する合紙サイズ設定手段と、前記ＯＨＰシートと前記合紙とを交互に搬送し、印刷されたＯＨＰシートと合紙とを排出部に交互に積層する搬送手段とを備え、前記画像形成部は、前記ＯＨＰシートと合紙とを重ねたときに、前記ＯＨＰシートからはみ出る合紙の領域に、前記ＯＨＰシートに記録した画像と関連する画像である関連画像を記録することを特徴とする。
【０００７】
この構成によれば、ＯＨＰシートに対して一部の領域がはみ出るサイズの合紙が用いられるとともに、合紙のはみ出た領域には、ＯＨＰシートに記録される画像（本画像）に関連する画像（関連画像）が記録（印刷）されるため、ＯＨＰシートを１枚ずつめくっていかなくとも、合紙のはみ出た部分のみをめくっていけば、積層された印刷済みのＯＨＰシートにどのような画像が印刷されているかを確認することができ、かかる確認作業を速やかに行うことができる。
【０００８】
また、前記関連画像は、前記本画像の縮小画像及び前記本画像のページ番号の少なくともいずれか一方からなることが好ましい。この構成によれば、合紙のはみ出た領域に、縮小画像及びページ番号の少なくともいずれか一方が印刷されるため、視認性が向上し、上述した確認作業を正確かつ速やかに行うことができる。また、ページ番号が印刷された場合は、積層されたＯＨＰシートが正しくソートされているかを速やかに確認することができる。
【０００９】
前記ＯＨＰシート及び合紙は、一方が縦向けで搬送され、他方が横向けで搬送されることが好ましい。この構成によれば、ＯＨＰシートと合紙との向きが相違するため、同一サイズの合紙を用いた場合であっても、合紙は、一部の領域がＯＨＰシートからはみ出ることとなる。ここで、「縦向けで搬送」とは、長辺方向を用紙搬送方向と平行に搬送することをいい、「横向きで搬送」とは短辺方向を搬送方向と平行に搬送することをいう。
【００１０】
【発明の実施の形態】
図１は、本発明に係る画像形成装置の一の実施形態の機械的構成を主に示す側面概略図である。画像形成装置１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１１】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００１２】
原稿給送部６００は、原稿載置部６０１、原稿排出部６０２、給紙ローラ６０３及び原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００１３】
本体部２００は、複数（例えば３個）の給紙カセット２０１（２０１ａ、２０１ｂ、２０１ｃ）、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０等を備える。
【００１４】
本実施形態では、給紙カセット２０１ａには、長辺方向が図１の矢印Ａで示す記録紙搬送方向と平行方向にＡ４サイズの記録紙が収納されており、給紙カセット２０１ｂには、長辺方向が記録紙搬送方向と直交する方向にＡ４サイズの記録紙が収納されている。
【００１５】
本体部２００の側面のほぼ中央部には、手差しトレイ７００が配設されており、ＯＨＰシートは、手差しトレイ７００から長辺方向が用紙搬送方向と平行に挿入される。なお、給紙カセット２０１ｂに収納された記録紙はＯＨＰシートを印刷する際の合紙として用いられる。
【００１６】
感光体ドラム２０５は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像が転写され、中間転写体ローラ２０４上にカラーのトナー像が形成される。
【００１７】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００１８】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００１９】
図２は、本発明に係る画像形成装置１の全体を統括制御する制御部１０のブロック構成図を示している。制御部１０は、ＣＰＵ（中央処理装置）、ＲＯＭ（リードオンリーメモリ）、ＲＡＭ（ランダムアクセスメモリ）及び種々の電子回路等から構成されている。ＲＯＭには、本画像形成装置１を制御するための制御プログラムが記憶されており、ＣＰＵがこの制御プログラム実行することで、制御部１０は、ＯＨＰサイズ設定部１１、合紙サイズ設定部１２、合紙画像作成部１３、搬送制御部１４及び露光制御部１５として機能する。画像メモリ１６は、例えばＲＡＭから構成され、１又は複数枚の画像の画像データを記憶する。
【００２０】
ＯＨＰサイズ設定部１１は、印刷に用いるＯＨＰシートのサイズを設定する。本実施形態では、Ａ４サイズのＯＨＰシートが印刷に用いるＯＨＰシートのデフォルトサイズとして設定されている。なお、ＯＨＰシートのサイズは、操作部４００からの操作指令に応じて、Ｂ４等のＡ４以外の他のサイズを設定することができる。
【００２１】
合紙サイズ設定部１２は、ＯＨＰサイズ設定部１１によって設定されたＯＨＰシートに対して、長辺又は短辺の少なくともいずれか一方のサイズが大きな合紙を、印刷に用いる合紙のサイズとして設定する。ここで、長辺又は短辺の少なくともいずれか一方のサイズが大きいサイズの合紙とは、ＯＨＰシートと合紙とを重ね合わせたときに一部の領域がＯＨＰシートからはみ出るようなサイズの合紙のことをいう。
【００２２】
搬送制御部１４は、図１に示す給紙カセット２０１、複数の給紙ローラ２０２、転写ローラ２０３及び中間転写体ローラ２０４等からなる用紙搬送機構２０を制御する。詳細には、ＯＨＰサイズ設定部１１によって設定されたサイズを有するＯＨＰシートと合紙サイズ設定部１２によって設定されたサイズを有する合紙とを、用紙搬送機構２０に交互に搬送させる。本実施形態では、手差しトレイ７００から挿入されたＯＨＰシートを用いるため、搬送制御部１４は、挿入されたＯＨＰシートがガイド７０１を通って転写ローラ２０３側へと搬送されるように用紙搬送機構２０を制御する。そして、搬送制御部１４は、例えばＯＨＰシートが定着ローラ２０８を通過したとき、給紙カセット２０１ｂからＡ４サイズの記録紙をピックアップし、転写ローラ２０３側に搬送するように用紙搬送機構２０を制御する。これにより、ＯＨＰシートと合紙とは交互に搬送されることとなる。
【００２３】
ここで、給紙カセット２０１ｂは、長辺方向が用紙搬送方向と直交する方向にＡ４の記録紙（合紙）を収納していることに加え、用紙搬送機構２０は、合紙の一方の短辺がＯＨＰシートの一方の長辺と重なるように位置決めして（搬送ラインを決定して）合紙を搬送するため、ＯＨＰシート及び合紙は、例えば図３に示すように、ＯＨＰシートＯＳの一方の短辺と合紙ＧＰの一方の長辺とが重なり、かつ、ＯＨＰシートの１つの頂点と合紙ＧＰの１つの頂点とが重なるようにスタックトレイ３０４に積層される。そのため、合紙ＧＰは、スタックトレイ３０４において、ＯＨＰシートＯＳに対し一部の領域がはみ出した状態で積層される。以下、このはみ出した合紙ＧＰの領域を非重畳領域ＮＣＤと称し、ＯＨＰシートＯＳと合紙ＧＰとが重なっている領域を重畳領域ＣＤと称する。
【００２４】
合紙画像作成部１３は、合紙ＧＰに印刷される画像である合紙画像を以下のように作成する。すなわち、画像メモリ１６からＯＨＰシートＯＳに印刷される１枚の画像（本画像）の画像データ読み出し、読み出した画像を縮小して縮小画像（関連画像）を作成する。ここで、本画像は、縮小画像が非重畳領域ＮＣＤに収まるような縮尺率で縮小される。次に、本画像の各画素の座標を変換し、本画像を９０度回転させる。次に、回転した本画像に対し、縮小画像が非重畳領域ＮＣＤの位置に印刷されるように回転した本画像と縮小画像とを合成し、合紙画像を作成する。これにより、後述する図６（ａ）に示すように、合紙ＧＰには、長辺方向を上下方向として本画像が印刷されるとともに、短辺方向を上下方向として縮小画像が印刷されることとなる。
【００２５】
露光制御部１５は、ＯＨＰシートＯＳが中間転写体ローラ２０４を通過するときは、露光装置２０６に本画像を露光させ、合紙ＧＰが中間転写体ローラ２０４を通過するときは、露光装置２０６に合紙画像を露光させるように露光装置２０６を制御する。
【００２６】
なお、本実施形態では、制御部１０、転写ローラ２０３、中間転写体ローラ２０４、感光体ドラム２０５、露光装置２０６及び現像装置２０７Ｙ，２０７Ｍ，２０７Ｃ，２０７Ｋが画像形成部に相当し、搬送制御部１４、用紙搬送機構２０、給紙カセット２０１ｂが搬送手段に相当する。
【００２７】
次に、本画像形成装置の動作について説明する。図４は、本画像形成装置の動作を示したフローチャートである。なお、本画像形成装置１は、ＯＨＰシートＯＳを印刷するモードと普通紙（記録紙）を印刷するモードとを選択することが可能であり、ＯＨＰシートＯＳを印刷するモードを選択した場合、さらに、ＯＨＰシートＯＳのみを印刷するモードと、ＯＨＰシートＯＳ及び合紙ＧＰを印刷するモード（「ＯＨＰ＋合紙モード」）とを選択することができる。図５（ａ）（ｂ）は、ＯＨＰシートＯＳを印刷する際に、タッチパネル４０１に表示される操作画面の一例を示した画面図である。操作者が、操作画面の下部に表示された「機能リスト」タグにタッチすると、図５（ａ）に示す画面が表示され、この画面の１行２列目に表示された「ＯＨＰ合紙」ボタンにタッチすると、図５（ｂ）に示す画面が表示される。図５（ｂ）には、「設定なし」、「コピー合紙」、「白紙合紙」の３つのボタンが表示されている。操作者が「設定なし」ボタンにタッチすると、合紙ＧＰの重畳領域ＣＤに本画像が印刷され、非重畳領域ＮＣＤに縮小画像が印刷される「ＯＨＰシート＋合紙モード」が選択され、「コピー合紙」ボタンにタッチすると、合紙ＧＰに本画像のみが印刷される「ＯＨＰシート＋合紙モード」が選択され、「白紙合成」ボタンにタッチすると、合紙ＧＰに何も印刷されない「ＯＨＰシート＋合紙モード」が選択される。
【００２８】
したがって、本フローチャートでは、予め、操作者によって、図５（ａ）に示す「機能リスト」がタッチされ、「設定なし」ボタンがタッチされ、合紙ＧＰの重畳領域ＣＤに本画像が印刷され、非重畳領域ＮＣＤに縮小画像が印刷される「ＯＨＰシート＋合紙モード」が選択されているものとする。この選択によって、ＯＨＰサイズ設定部１１は、長辺方向が搬送方向と平行（縦方向）であるＡ４サイズのＯＨＰシートＯＳを印刷に用いるＯＨＰシートとして設定し、合紙サイズ設定部１２は、短辺方向が搬送方向と平行（横方向）であるＡ４サイズの合紙を印刷に用いる合紙として設定する。
【００２９】
まず、ステップＳ１において、原稿読み取り部５００は、原稿載置部６０１に載置された全原稿の画像を読み取る。ここで、読み取られた全原稿の画像は、１つのジョブとして纏められ制御部１０によって管理される。ここで、制御部１０は、読み取った各画像に対し、例えば読み取った順番にページ番号を付し、ページ番号の若い順に印刷処理を実行する。読み取られた全原稿の画像は画像メモリ１６に記憶される。
【００３０】
ステップＳ２において、合紙画像作成部１３は、画像メモリ１６から画像１枚の画像データを読み出して、読み出した画像の合紙画像を作成する。作成された合紙画像は例えばＲＡＭに一時的に記憶される。
【００３１】
ステップＳ３において、露光制御部１５は、ステップＳ２で作成された合紙画像に対応する本画像の画像データを画像メモリ１６から読み出し、転写ローラ２０３、中間転写体ローラ２０４、感光体ドラム２０５、露光装置２０６及び現像装置２０７Ｙ，２０７Ｍ，２０７Ｃ，２０７Ｋ（画像形成部）を駆動させ、ＯＨＰシートＯＳに本画像を印刷させる。そして、印刷されたＯＨＰシートＯＳは、用紙搬送機構２０によってスタックトレイ３０４排紙される。
【００３２】
ステップＳ４において、露光制御部１５は、画像形成部を駆動させ、ステップＳ２で作成された合紙画像を合紙ＧＰに印刷させる。印刷された合紙ＧＰは、用紙搬送機構２０によってスタックトレイ３０４に排紙される。
【００３３】
ステップＳ５において、制御部１０は、１つのジョブに含まれる全画像（全ページ）の印刷が終了したか否かを判断し、全ページの印刷が終了していない場合は、ステップＳ２に戻り処理を続行する。一方、全ページの印刷が終了した場合（ステップＳ５でＮＯ）、処理を終了する。
【００３４】
図６（ａ）は、本画像形成装置によって合紙ＧＰ及びＯＨＰシートＯＳが印刷される様子を説明するための図であり、図６（ｂ）はスタックトレイに積層されたＯＨＰシートＯＳ及び合紙ＧＰを示している。図６（ａ）の例では、まず、１枚目のＯＨＰシートに長辺方向を上下方向として「Ａ」の画像（本画像）が印刷されている。次に、長辺方向がＯＨＰシートＯＳの長辺方向に対して略９０度傾斜された１枚目の合紙ＧＰの重畳領域ＣＤに、長辺方向を上下方向として「Ａ」の画像が印刷されているとともに、非重畳領域ＮＣＤの隅には短辺方向を上下方向として「Ａ」の縮小画像が印刷されている。なお、本実施形態では、合紙ＧＰの短辺方向を上下方向として、縮小画像が印刷されているため、積層されたＯＨＰシートＯＳ及び合紙ＧＰを、ＯＨＰシートＯＳに印刷された画像を基準として見た場合、ＯＨＰシートＯＳに印刷された画像の上下方向及び合紙ＧＰに印刷された縮小画像の上下方向が同一方向となるため、ＯＨＰシートＯＳにどうのような画像が印刷されているかの確認が容易となっている。
【００３５】
同様にして、２枚目以降のＯＨＰシートＯＳ及び合紙ＧＰが印刷され、スタックトレイ３０４に排紙されていくため、スタックトレイ３０４では、図６（ｂ）に示すように、合紙ＧＰの一部の領域（非重畳領域ＮＣＤ）がＯＨＰシートＯＳからはみ出るようにして、ＯＨＰシートＯＳ及び合紙ＧＰが積層されていく。
【００３６】
このように、本実施形態の画像形成装置１によれば、合紙ＧＰは、長辺方向がＯＨＰシートＯＳの長辺方向と直交して交互に排紙されるため、図３に示すように合紙ＧＰは、スタックトレイ３０４に一部がＯＨＰシートＯＳからはみ出た状態（非重畳領域ＮＣＤ）で積層される。そして、非重畳領域ＮＣＤには、本画像の縮小画像が印刷されるため、ＯＨＰシートＯＳをめくることなく合紙ＧＰのはみ出た領域（非重畳領域ＮＣＤ）だけをめくっていけば、何番目のＯＨＰシートＯＳにどの画像が印刷されているかを確認することができる。その結果、かかる確認作業を速やかに行うことができる。
【００３７】
なお、本発明は、以下の態様を採用してもよい。
【００３８】
（１）上記実施形態では、給紙カセット２０１ｂにＯＨＰシートＯＳと長辺方向が直交する方向にＡ４サイズの記録紙を収納することにより、ＯＨＰシートＯＳの長辺方向に対し合紙ＧＰの長辺方向を９０度傾斜させたが、これに限定されず、用紙搬送機構２０上に回転機構を設け、回転機構により、給紙カセット２０１ａに収納された記録紙の長辺方向を９０度回転させて、ＯＨＰシートＯＳの長辺方向に対し、合紙ＧＰの長辺方向を９０度傾斜させてもよい。ここで、回転機構は、用紙を回転させるためのテーブル、テーブルを回転させるためのモータ等からなり、テーブルには、記録紙を固定するためのガイド等を配設すればよい。また、記録紙を帯電させるための帯電機構を回転テーブルの上流側に配設し、帯電された記録紙をクーロン力によって密着することができる材質でテーブルの記録紙載置面を構成してもよい。
【００３９】
（２）上記実施形態では、ＯＨＰシートＯＳと合紙ＧＰとを共にＡ４サイズとしたが、これに限定されず、Ｂ５、Ａ３等、他のサイズのものを使用してもよい。この場合、ＯＨＰシートＯＳと合紙ＧＰとは同一サイズであってもよいし、異なるサイズであってもよい。異なるサイズとする場合には、ＯＨＰシートＯＳに合紙ＧＰを重畳した場合、合紙ＧＰの一部の領域がはみ出るようなサイズが好ましい。なお、ＯＨＰシートＯＳと合紙ＧＰとのサイズを同一サイズとした場合は、ＯＨＰシートＯＳの長辺方向に対し、合紙ＧＰの長辺方向が直交するように、合紙となる記録紙を給紙カセット２０１に収納する必要がある。
【００４０】
（３）上記実施形態では、非重畳領域ＮＣＤに縮小画像を印刷したがこれに限定されず、縮小画像に代えて又は縮小画像に加えてページ番号を印刷してもよい。ページ番号を印刷することにより、積層されたＯＨＰシートが正しい順番でソートされているかを速やかに確認することができる。ページ番号を印刷する場合、ページ番号の上下方向を、ＯＨＰシートＯＳに印刷される画像の上下方向と同一方向にすると、ＯＨＰシートＯＳが正しい順番でソートされているかを確認する作業が行ないやすくなる。
【００４１】
（４）上記実施形態では、重畳領域ＣＤに本画像を印刷したが、本画像を印刷しなくともよい。
【００４２】
【発明の効果】
以上説明したように、本発明によれば、ＯＨＰシートに対して一部の領域がはみ出るサイズの合紙が用いられるとともに、合紙のはみ出た領域には、ＯＨＰシートに印刷される画像である本画像に関連する画像（関連画像）が印刷されるため、ＯＨＰシートを１枚ずつめくっていかなくとも、合紙のはみ出た部分のみをめくっていけば、積層された印刷済みのＯＨＰシートにどのような画像が印刷されているかを確認することができ、かかる確認作業を速やかに行うことができる。
【図面の簡単な説明】
【図１】本発明に係る画像形成装置の一の実施形態の機械的構成を主に示す側面概略図である。
【図２】本発明に係る画像形成装置１の全体を統括制御する制御部１０のブロック構成図を示している。
【図３】スタックトレイに排紙される合紙とＯＨＰシートを示した図である。
【図４】本画像形成装置の動作を示したフローチャートである。
【図５】（ａ）及び（ｂ）ともにＯＨＰシートを印刷する際に、タッチパネルに表示される操作画面の一例を示した画面図である。
【図６】（ａ）は本画像形成装置によって合紙及びＯＨＰシートが印刷される様子を説明するための図であり、図６（ｂ）はスタックトレイに積層されたＯＨＰシートＯＳ及び合紙ＧＰを示している。
【符号の説明】
１  画像形成装置
１０  制御部
１１  ＯＨＰサイズ設定部
１２  合紙サイズ設定部
１３  合紙画像作成部
１４  搬送制御部
１５  露光制御部
１６  画像メモリ
２０  用紙搬送機構
２００  本体部
２０１  給紙カセット
２０１ａ  給紙カセット
２０１ｂ  給紙カセット
２０１ｃ  給紙カセット
２０２  給紙ローラ
２０３  転写ローラ
２０４  中間転写体ローラ
２０５  感光体ドラム
２０６  露光装置
２０７Ｙ  ２０７Ｍ  ２０７Ｃ  ２０７Ｋ  現像装置
２０８  定着ローラ
３０４  スタックトレイ
ＣＤ  重畳領域
ＧＰ  合紙
ＮＣＤ  非重畳領域
ＯＳ  ＯＨＰシート
【図１】
2005024793.tif 000003
【図２】
2005024793.tif 000004
【図３】
2005024793.tif 000005
【図４】
2005024793.tif 000006
【図５】
2005024793.tif 000007
【図６】
2005024793.tif 000008